【手続補正書】
【提出日】平成17年2月15日(2005.2.15)
【手続補正１】
【補正対象書類名】明細書
【補正対象項目名】特許請求の範囲
【補正方法】変更
【補正の内容】
【特許請求の範囲】
【請求項１】
複数段回路で構成され、各段回路から駆動パルスに従ったパルス電圧が順次出力される信号伝送回路であって、前記各段回路は、
前記駆動パルスを前記パルス電圧としてソースに出力する出力トランジスタと、
前記出力トランジスタのゲートとソースとの間に接続されたブートストラップ用容量と、
少なくとも２段目以降には、前記ブートストラップ用容量を充電するために、ドレインが電源または接地線に接続され、ソースが前記出力トランジスタのゲートに接続され、ゲートが前段の出力トランジスタに接続された充電トランジスタと、
初段の場合は、前記ブートストラップ用容量を充電するために、ドレインが電源または接地線あるいはスタートパルスに接続され、ソースが前記出力トランジスタのゲートに接続され、ゲートに１つの容量または複数の容量からなる直列容量を介してスタートパルスが供給される充電トランジスタとを備えたことを特徴とする信号伝送回路。
【請求項２】
前記初段回路は、
ソースまたはドレインが前記１つの容量または前記直列容量の前記充電トランジスタ側の一端に接続され、ドレインまたはソースがそれぞれ電源または接地線に接続された第１の初期充電トランジスタと、
ソースまたはドレインが前記１つの容量または前記直列容量の他端に接続され、ドレインまたはソースがそれぞれ接地または電源線に接続された第２の初期充電トランジスタとを備えたことを特徴とする請求項１記載の信号伝送回路。
【請求項３】
前記第１および第２の初期充電トランジスタのゲートは共通接続されることを特徴とする請求項２記載の信号伝送回路。
【請求項４】
共通接続された、前記第１および第２の初期充電トランジスタのゲートに前記駆動パルスが印加されることを特徴とする請求項３記載の信号伝送回路。
【請求項５】
前記初段回路は、
ソースまたはドレインが前記直列容量中の容量の前記充電トランジスタ側の一端に接続され、ドレインまたはソースがそれぞれ電源または接地線に接続された第１の初期充電トランジスタと、
ソースまたはドレインが前記直列容量中の容量の他端に接続され、ドレインまたはソースがそれぞれ接地または電源線に接続された第２の初期充電トランジスタとを備えたことを特徴とする請求項１記載の信号伝送回路。
【請求項６】
前記第１および第２の初期充電トランジスタのゲートは共通接続され、かつ前記容量毎に入力パルスが設定されていることを特徴とする請求項５記載の信号伝送回路。
【請求項７】
前記入力パルスが前記充電トランジスタに近い方の容量に対応する前記第１および第２の初期充電トランジスタをオンおよびオフした後に、次の容量に対応する前記第１および第２の初期充電トランジスタをオンおよびオフすることを特徴とする請求項６記載の信号伝送回路。
【請求項８】
前記初段回路の充電トランジスタはＮ型ＭＯＳトランジスタであり、前記第１の初期充電トランジスタのドレインまたはソースに接続される電源線の電圧を、前記第２の初期充電トランジスタのドレインまたはソースに接続される電源線の電圧よりも高くしたことを特徴とする請求項２から７のいずれか一項記載の信号伝送回路。
【請求項９】
前記初段回路の充電トランジスタはＰ型ＭＯＳトランジスタであり、前記第１の初期充電トランジスタのドレインまたはソースに接続される電源線の電圧を、前記第２の初期充電トランジスタのドレインまたはソースに接続される電源線の電圧よりも低くしたことを特徴とする請求項２から７のいずれか一項記載の信号伝送回路。
【請求項１０】
前記第１および第２の初期充電トランジスタを共にオン状態にした後、共にオフ状態にし、その後前記スタートパルスが印加され、前記容量または前記直列容量を介して前記初段回路の充電トランジスタがオン状態になることを特徴とする請求項２から７のいずれか一項記載の信号伝送回路。
【請求項１１】
複数段回路で構成され、各段回路から駆動パルスに従った走査パルス電圧が順次出力される信号伝送回路を有する固体撮像装置であって、
前記信号伝送回路の各段回路は、
前記駆動パルスを前記走査パルス電圧としてソースに出力する出力トランジスタと、
前記出力トランジスタのゲートとソースとの間に接続されたブートストラップ用容量と、
少なくとも２段目以降には、前記ブートストラップ用容量を充電するために、ドレインが電源または接地線に接続され、ソースが前記出力トランジスタのゲートに接続され、ゲートが前段の出力トランジスタに接続された充電トランジスタと、
初段の場合は、前記ブートストラップ用容量を充電するために、ドレインが電源または接地線あるいはスタートパルスに接続され、ソースが前記出力トランジスタのゲートに接続され、ゲートに１つの容量または複数の容量からなる直列容量を介してスタートパルスが供給される充電トランジスタとを備えたことを特徴とする固体撮像装置。
【請求項１２】
請求項１１記載の固体撮像装置を搭載したことを特徴とするカメラ。
【請求項１３】
複数段回路で構成され、各段回路から駆動パルスに従った走査パルス電圧が順次出力される信号伝送回路を有する液晶表示装置であって、
前記信号伝送回路の各段回路は、
前記駆動パルスを前記走査パルス電圧としてソースに出力する出力トランジスタと、
前記出力トランジスタのゲートとソースとの間に接続されたブートストラップ用容量と、
少なくとも２段目以降には、前記ブートストラップ用容量を充電するために、ドレインが電源または接地線に接続され、ソースが前記出力トランジスタのゲートに接続され、ゲートが前段の出力トランジスタに接続された充電トランジスタと、
初段の場合は、前記ブートストラップ用容量を充電するために、ドレインが電源または接地線あるいはスタートパルスに接続され、ソースが前記出力トランジスタのゲートに接続され、ゲートに１つの容量または複数の容量からなる直列容量を介してスタートパルスが供給される充電トランジスタとを備えたことを特徴とする液晶表示装置。
【手続補正２】
【補正対象書類名】明細書
【補正対象項目名】００２０
【補正方法】変更
【補正の内容】
【００２０】
【課題を解決するための手段】
前記の目的を達成するため、本発明に係る信号伝送回路は、複数段回路で構成され、各段回路から駆動パルスに従ったパルス電圧が順次出力される信号伝送回路であって、各段回路は、駆動パルスを前記パルス電圧としてソースに出力する出力トランジスタと、出力トランジスタのゲートとソースとの間に接続されたブートストラップ用容量と、少なくとも２段目以降には、ブートストラップ用容量を充電するために、ドレインが電源または接地線に接続され、ソースが出力トランジスタのゲートに接続され、ゲートが前段の出力トランジスタに接続された充電トランジスタと、初段の場合は、ブートストラップ用容量を充電するために、ドレインが電源または接地線あるいはスタートパルスに接続され、ソースが出力トランジスタのゲートに接続され、ゲートに１つの容量または複数の容量からなる直列容量を介してスタートパルスが供給される充電トランジスタとを備えたことを特徴とする。
【手続補正３】
【補正対象書類名】明細書
【補正対象項目名】００２９
【補正方法】変更
【補正の内容】
【００２９】
前記の目的を達成するため、本発明に係る固体撮像装置は、複数段回路で構成され、各段回路から駆動パルスに従った走査パルス電圧が順次出力される信号伝送回路を有する固体撮像装置であって、信号伝送回路の各段回路は、駆動パルスを走査パルス電圧としてソースに出力する出力トランジスタと、出力トランジスタのゲートとソースとの間に接続されたブートストラップ用容量と、少なくとも２段目以降には、ブートストラップ用容量を充電するために、ドレインが電源または接地線に接続され、ソースが出力トランジスタのゲートに接続され、ゲートが前段の出力トランジスタに接続された充電トランジスタと、初段の場合は、ブートストラップ用容量を充電するために、ドレインが電源または接地線あるいはスタートパルスに接続され、ソースが出力トランジスタのゲートに接続され、ゲートに１つの容量または複数の容量からなる直列容量を介してスタートパルスが供給される充電トランジスタとを備えたことを特徴とする。
【手続補正４】
【補正対象書類名】明細書
【補正対象項目名】００３１
【補正方法】変更
【補正の内容】
【００３１】
前記の目的を達成するため、本発明に係る液晶表示装置は、複数段回路で構成され、各段回路から駆動パルスに従った走査パルス電圧が順次出力される信号伝送回路を有する液晶表示装置であって、信号伝送回路の各段回路は、駆動パルスを走査パルス電圧としてソースに出力する出力トランジスタと、出力トランジスタのゲートとソースとの間に接続されたブートストラップ用容量と、少なくとも２段目以降には、ブートストラップ用容量を充電するために、ドレインが電源または接地線に接続され、ソースが出力トランジスタのゲートに接続され、ゲートが前段の出力トランジスタに接続された充電トランジスタと、初段の場合は、ブートストラップ用容量を充電するために、ドレインが電源または接地線あるいはスタートパルスに接続され、ソースが出力トランジスタのゲートに接続され、ゲートに１つの容量または複数の容量からなる直列容量を介してスタートパルスが供給される充電トランジスタとを備えたことを特徴とする。